(57)【要約】【課題】切り屑の発生を抑制する。【解決手段】ホルダ１３の内周面には、雌ねじ部３１よりもねじ込み方向の奥側に、雄ねじ部２３との非接触状態を保つ非接触部３３が形成されている。非接触部３３は、雌ねじ部３１に雄ねじ部２３がねじ込まれる際に、ばね座金１４が端面２５と端面３２との双方に当接した時点で、雄ねじ部２３の先端のねじ山２６が雌ねじ部３１を越えるように設定されている。【選択図】図１
2019113796.tif 000002
【特許請求の範囲】
【請求項１】
外周面に雄ねじ部が形成され、内側でレンズを支持する第１支持部材と、
内周面に雌ねじ部が形成され、前記雌ねじ部に前記雄ねじ部がねじ込まれることで前記第１支持部材を支持する第２支持部材と、
前記第１支持部材と前記第２支持部材との軸方向の間に介在し、前記第１支持部材と前記第２支持部材とを軸方向に付勢するばね部材と、を備え、
前記第２支持部材の前記内周面には前記雄ねじ部との非接触状態を保つ非接触部が形成されており、
前記非接触部は、
前記雌ねじ部に前記雄ねじ部がねじ込まれ、前記ばね部材が前記第１支持部材と前記第２支持部材との双方に当接したときに、前記雄ねじ部の先端より先の領域にあることを特徴とするレンズ支持体。
【請求項２】
前記非接触部は、
前記雌ねじ部の内径よりも大きな内径となる非ねじ部であることを特徴とする請求項１に記載のレンズ支持体。
【請求項３】
前記第１支持部材は、
前記レンズを支持する頭部と、
前記外周面に前記雄ねじ部が形成される首部と、を備え、
前記ばね部材は、
前記雌ねじ部に前記雄ねじ部をねじ込んだ状態で、前記頭部における前記第２支持部材と向き合う端面と、前記第２支持部材における前記頭部と向き合う端面と、の間に介在することを特徴とする請求項１又は２に記載のレンズ支持体。
【発明の詳細な説明】
【技術分野】
【０００１】
本発明は、レンズ支持体に関するものである。
【背景技術】
【０００２】
特許文献１では、鏡筒の外周面に雄ねじ部を形成し、ホルダの内周面に雌ねじ部を形成し、鏡筒の雄ねじ部をホルダの雌ねじ部に嵌め合わせる構造を開示している。
【先行技術文献】
【特許文献】
【０００３】
【特許文献１】特開２０１６−１１８５８９号公報
【発明の概要】
【発明が解決しようとする課題】
【０００４】
ここで、鏡筒とホルダとの軸方向の間に、例えばスプリングワッシャを介在させて、雄ねじ部と雌ねじ部とのガタを抑制することが考えられる。しかしこうすることにより雄ねじ部を雌ねじ部に嵌め合わせる際、雄ねじ部のねじ先側が雌ねじ部を削り、切り屑が発生する。これは、スプリングワッシャの付勢力を受けて、雄ねじ部と雌ねじ部とが強く擦れ合うことに起因する。
本発明の課題は、切り屑の発生を抑制することである。
【課題を解決するための手段】
【０００５】
本発明の一態様に係るレンズ支持体は、外周面に雄ねじ部が形成され、内周面でレンズを支持する第１支持部材と、内周面に雌ねじ部が形成され、前記雌ねじ部に前記雄ねじ部がねじ込まれることで前記第１支持部材を支持する第２支持部材と、前記第１支持部材と前記第２支持部材との間に介在し、前記第１支持部材と前記第２支持部材とを軸方向に付勢するばね部材と、を備え、前記第２支持部材の前記内周面には前記雄ねじ部と接触しない非接触部が形成されており、前記非接触部は、前記雌ねじ部に前記雄ねじ部がねじ込まれ、前記ばね部材が前記第１支持部材と前記第２支持部材との双方に当接したときに、前記雄ねじ部の先端より先の領域にある。
【発明の効果】
【０００６】
本発明によれば、雌ねじ部に雄ねじ部がねじ込まれる際に、ばね部材が雌ねじ部に雄ねじ部を軸方向に付勢し始めるときに、雄ねじ部の先端のねじ山が第２支持部材の内周面に対して非接触となる。そのため、雄ねじ部の先端のねじ山によって雌ねじ部が削られ、切り屑が発生するといった事態を抑制できる。
【図面の簡単な説明】
【０００７】
【図１】レンズ支持体を示す図である。
【図２】比較例を示す図である。
【発明を実施するための形態】
【０００８】
以下、本発明の実施形態を図面に基づいて説明する。なお、各図面は模式的なものであって、これらは現実のものと異なる場合がある。また、以下の実施形態は、本発明の技術的思想を具体化するための装置や方法を例示するものであり、構成が下記のものだけに限定されるものでない。すなわち、本発明の技術的思想は、特許請求の範囲に記載された技術的範囲内において、種々の変更を加えることができる。
【０００９】
《実施形態》
《構成》
図１は、レンズ支持体を示す図である。
レンズ支持体１１は、第１支持部材である鏡筒１２と、第２支持部材であるホルダ１３と、ばね部材であるばね座金１４と、を備える。
鏡筒１２は、内側でレンズ２１を支持する頭部２２と、外周面に雄ねじ部２３が形成される首部２４と、を備える。頭部２２は首部２４よりも大径である。
【００１０】
筒状のホルダ１３は、内周面に雌ねじ部３１が形成されている。ホルダ１３は、雌ねじ部３１に雄ねじ部２３がねじ込まれることで、鏡筒１２を支持する。
円環状のばね座金１４は、ガタを抑制するために鏡筒１２とホルダ１３との間に介在し、軸方向に圧縮されるときに付勢力を発生させる。具体的には、ばね座金１４は、雌ねじ部３１に雄ねじ部２３をねじ込んだ状態で、頭部２２におけるホルダ１３と向き合う端面２５と、ホルダ１３における頭部２２と向き合う端面３２と、の間に介在する。したがって、鏡筒１２の首部２４にばね座金１４を通し、それから雌ねじ部３１に雄ねじ部２３をねじ込むことになる。
【００１１】
ホルダ１３の内周面のうち、雌ねじ部３１よりもねじ込み方向の奥側に、雄ねじ部２３と接触しない非接触部３３が形成されている。非接触部３３は、雌ねじ部３１の内径よりも大きな内径となる非ねじ部である。非接触部３３は、雌ねじ部３１に雄ねじ部２３がねじ込まれる際に、ばね座金１４が端面２５と端面３２との双方に当接したときに、雄ねじ部２３の先端のねじ山２６（雄ねじ部２３の先端部）より先の領域に存在する。すなわち、ばね座金１４が軸方向に付勢（鏡筒１２の端面２５とホルダ１３の端面３２との双方に付勢）し始めるときに、雄ねじ部２３の先端のねじ山２６がホルダ１３の内周面に対して非接触となる。
【００１２】
《作用効果》
次に、実施形態の作用効果について説明する。
雌ねじ部３１に雄ねじ部２３をねじ込む際、雄ねじ部２３のねじ山２６が雌ねじ部３１を削り、切り屑が発生することがある。これは、ばね座金１４の付勢力を受けて、雌ねじ部３１と雄ねじ部２３とが強く擦れ合うときに顕著になる。
そこで、ホルダ１３の内周面には、雌ねじ部３１よりもねじ込み方向の奥側に、雄ねじ部２３と接触しない非接触部３３が形成されている。非接触部３３は、雌ねじ部３１に雄ねじ部２３がねじ込まれる際に、ばね座金１４が端面２５と端面３２との双方に当接した時点で、雄ねじ部２３の先端のねじ山２６より先の領域に存在する。
【００１３】
これにより、雌ねじ部３１に雄ねじ部２３がねじ込まれる際に、ばね座金１４が軸方向に付勢し始めるときに、雄ねじ部２３の先端のねじ山２６がホルダ１３の内周面に対して非接触状態を保つことができる。そのため、雄ねじ部２３の先端のねじ山２６によって雌ねじ部３１が削られ、切り屑が発生するといった事態を抑制できる。
ばね座金１４が軸方向に付勢する前は、雌ねじ部３１におけるねじ山の上面（手前側の面）に対して、雄ねじ部２３におけるねじ山の下面（奥側の面）が接触している。ばね座金１４が軸方向に付勢し始めると、雌ねじ部３１におけるねじ山の下面（奥側の面）に対して、雄ねじ部２３におけるねじ山の上面（手前側の面）が接触する。このように、ばね座金１４が軸方向に付勢することで、ホルダ１３に対する鏡筒１２のガタを抑制することができる。
非接触部３３は、雌ねじ部３１の内径よりも大きな内径となる非ねじ部である。したがって、非接触部３３の加工が容易である。
【００１４】
次に、比較例を示す。
図２は、比較例を示す図である。
ここでは、雌ねじ部３１に雄ねじ部２３がねじ込まれる際に、ばね座金１４が端面２５と端面３２との双方に当接した時点で、雄ねじ部２３の先端のねじ山２６が雌ねじ部３１を越えていない。雌ねじ部３１に雄ねじ部２３がさらにねじ込まれると、ばね座金１４の付勢力を受けて、雌ねじ部３１と雄ねじ部２３とが強く擦れ合い、雄ねじ部２３のねじ先側が雌ねじ部３１を削り、切り屑が発生してしまう。
【００１５】
以上、限られた数の実施形態を参照しながら説明したが、権利範囲はそれらに限定されるものではなく、上記の開示に基づく実施形態の改変は、当業者にとって自明のことである。
【符号の説明】
【００１６】
１１  レンズ支持体
１２  鏡筒
１３  ホルダ
１４  ばね座金
２１  レンズ
２２  頭部
２３  雄ねじ部
２４  首部
２５  端面
２６  ねじ山
３１  雌ねじ部
３２  端面
３３  非接触部
【図１】
2019113796.tif 000003
【図２】
2019113796.tif 000004